(57)【要約】購入可能な製品の仮想バンドルが、電子商取引サイトの外部の人間によって作成される。好ましい実施形態において、仮想バンドルは外部管理者に関連するグループのメンバのみがアクセス可能なカスタムストアに用いられる。【特許請求の範囲】
【請求項１】
顧客がベンダから製品のバンドルを購入することを容易にするためのシステムであって、
ベンダの電子商取引サイトで販売される仮想バンドルであって、複数の選択可能な製品から選択される製品の仮想バンドルを生成可能に適合されたサーバシステムと、
前記サーバシステムに動作可能に接続可能な仮想バンドル選択コンピュータをと有し、
前記仮想バンドル選択コンピュータが、バンドル選択データを前記ベンダの介入無く前記サーバシステムへ提供するように適合され、前記サーバシステムが、前記バンドル選択データを前記電子商取引サイトにおける前記仮想バンドルの生成に用いるよう適合されていることを特徴とするシステム。
【請求項２】
前記仮想バンドルが、グループのためのカスタムストアウェブページから利用可能であることを特徴とする請求項１記載のシステム。
【請求項３】
前記サーバシステムのカスタムウェブサイトを構築するための、前記サーバシステムに対するコンフィグレーションデータをデータベースが格納することを特徴とする請求項２記載のシステム。
【請求項４】
前記仮想バンドルがグループのメンバによって購入可能なコンピュータシステムを含むことを特徴とする請求項１記載のシステム。
【請求項５】
前記仮想バンドルデータが、前記仮想バンドル選択コンピュータから受信したデータを変形した形式でデータベースに格納されることを特徴とする請求項１記載のシステム。
【請求項６】
前記サーバシステムが前記仮想バンドルを選択する人のための管理ウェブページを生成することを特徴とする請求項１記載のシステム。
【請求項７】
前記管理ウェブページがバンドル可能な製品の表示リストを含むことを特徴とする請求項６記載のシステム。
【請求項８】
前記管理ウェブページがデータベース中の仮想バンドルの品揃えを更新させる発行コマンドを含むことを特徴とする請求項６記載のシステム。
【請求項９】
前記管理ウェブページが管理者にカスタムウェブページ変更を許すことを特徴とする請求項６記載のシステム。
【請求項１０】
前記電子商取引サイトがＵＲＬ中のＩＤを用いて構築されるカスタムストアであることを特徴とする請求項１記載のシステム。
【請求項１１】
前記グループが公共団体を含むことを特徴とする請求項１記載のシステム。
【請求項１２】
前記電子商取引サイトがデータベースからのデータを用いて動的に生成されることを特徴とする請求項１記載のシステム。
【請求項１３】
製品の前記仮想バンドルの価格が動的に計算されることを特徴とする請求項１２記載のシステム。
【請求項１４】
データベース中の前記バンドル選択データを陳腐化製品についてチェックする調停ソフトウェアを更に有することを特徴とする請求項１記載のシステム。
【請求項１５】
前記サーバシステムがウェブサーバ及びアプリケーションサーバを有することを特徴とする請求項１記載のシステム。
【請求項１６】
仮想バンドル選択コンピュータから送信される仮想バンドルの結果として、前記仮想バンドルデータをデータベースに格納する工程と、
ベンダの電子商取引サイトで販売され、前記ベンダ以外のグループのメンバが購入するのに適した仮想バンドルであって、複数の選択可能な製品から選択される製品の仮想バンドルを、前記データベースに格納された前記仮想バンドルデータを用いて提供する工程を実行するプログラムを格納するコンピュータ読みとり可能な記録媒体。
【請求項１７】
前記仮想バンドルが、前記データベース中のデータから作成される、前記グループのためのカスタムストアウェブページにおいて利用可能であることを特徴とする請求項１６記載のコンピュータ読みとり可能な記録媒体。
【請求項１８】
前記バンドルが、購入用のコンピュータシステムを有することを特徴とする請求項１６記載のコンピュータ読みとり可能な記録媒体。
【請求項１９】
前記データがデータベースに格納される前に変更されることを特徴とする請求項１６記載のコンピュータ読みとり可能な記録媒体。
【請求項２０】
前記仮想バンドル選択コンピュータのユーザが、製品の前記仮想バンドルを生成することを可能にするために、管理ウェブページが用いられることを特徴とする請求項１６記載のコンピュータ読みとり可能な記録媒体。
【請求項２１】
前記管理ウェブページにおいて、バンドル可能な製品を表すために製品の表示リストが示されることを特徴とする請求項２０記載のコンピュータ読みとり可能な記録媒体。
【請求項２２】
前記グループが公共団体を含むことを特徴とする請求項１６記載のコンピュータ読みとり可能な記録媒体。
【請求項２３】
前記電子商取引サイトが動的に作成されることを特徴とする請求項１６記載のコンピュータ読みとり可能な記録媒体。
【請求項２４】
前記仮想バンドルの価格が動的に計算されることを特徴とする請求項２３記載のコンピュータ読みとり可能な記録媒体。
【請求項２５】
前記仮想バンドルに陳腐化製品が含まれるか否かを判定するため、前記バンドル選択データをチェックする調停ソフトウェアを更に有することを特徴とする請求項１６記載のコンピュータ読みとり可能な記録媒体。
【請求項２６】
仮想バンドル選択コンピュータから送信される仮想バンドルの結果として、前記仮想バンドルデータをデータベースに格納するステップと、
ベンダの電子商取引サイトで販売され、前記ベンダ以外のグループのメンバが購入するのに適した仮想バンドルであって、複数の選択可能な製品から選択される製品の仮想バンドルを、前記データベースに格納された前記仮想バンドルデータを用いて提供するステップを有することを特徴とする方法。
【請求項２７】
前記電子商取引サイトが、グループ用のカスタムストアウェブページであることを特徴とする請求項２６記載の方法。
【請求項２８】
前記仮想バンドルが、購入用のコンピュータシステムを有することを特徴とする請求項２６記載の方法。
【請求項２９】
前記バンドル選択データが、前記仮想バンドル選択コンピュータから受信されるデータを変更した形式で前記データベースに格納されることを特徴とする請求項２６記載の方法。
【請求項３０】
前記仮想バンドル選択コンピュータのユーザが、当該ユーザが前記仮想バンドル選択コンピュータで製品を前記仮想バンドルにバンドルすることを可能にする管理ウェブページを有することを特徴とする請求項２６記載の方法。
【請求項３１】
前記管理ウェブページがバンドル可能な製品の表示リストを含むことを特徴とする請求項３０記載の方法。
【請求項３２】
前記グループが公共団体を含むことを特徴とする請求項２６記載の方法。
【請求項３３】
前記電子商取引サイトが動的に作成されることを特徴とする請求項２６記載の方法。
【請求項３４】
前記バンドル中の製品についての割引が前記電子商取引サイトの作成時に動的に作成されることを特徴とする請求項３３記載の方法。
【請求項３５】
前記仮想バンドル中の製品を、入手可能な製品のマスタリストと照合するステップを更に有することを特徴とする請求項２６記載の方法。
【請求項３６】
仮想バンドル選択コンピュータから仮想バンドルデータを受信し、前記仮想バンドルデータをデータベースに格納する手段と、
ベンダの電子商取引サイトで販売され、前記ベンダ以外のグループのメンバが購入するのに適した仮想バンドルであって、複数の選択可能な製品から選択される製品の仮想バンドルを提供する手段とを有し、
前記提供する手段が、前記データベースに格納された前記仮想バンドルデータを用いて前記製品の仮想バンドルを提供することを特徴とする装置。
【請求項３７】
前記電子商取引サイトが、グループ用のカスタムストアウェブページを有することを特徴とする請求項３６記載の装置。
【請求項３８】
前記仮想バンドルが、購入用のコンピュータシステムを有することを特徴とする請求項３６記載の装置。
【請求項３９】
前記バンドル選択データが、前記仮想バンドル選択コンピュータから受信されるデータを変更した形式で前記データベースに格納されることを特徴とする請求項３６記載の装置。
【請求項４０】
前記仮想バンドル選択コンピュータのユーザが、前記仮想バンドルを選択することを可能にする管理ウェブページを作成する手段をさらに有することを特徴とする請求項１記載の装置。
【請求項４１】
前記管理ウェブページ作成手段が、仮想バンドルへバンドル可能な製品の表示リストを有することを特徴とする請求項４０記載の装置。
【請求項４２】
前記グループが公共団体を含むことを特徴とする請求項３６記載の装置。
【請求項４３】
前記電子商取引サイトが動的に構築されることを特徴とする請求項３６記載の装置。
【請求項４４】
前記仮想バンドルの価格が前記仮想バンドルの作成中に動的に計算されることを特徴とする請求項３３記載の装置。
【請求項４５】
前記バンドル選択データ中に陳腐化製品が含まれているか否かを判定するため、前記バンドル選択データをチェックする調停手段を更に有することを特徴とする請求項３６記載の装置。
【請求項４６】
前記装置がサーバシステムを有することを特徴とする請求項３６記載の装置。
【請求項４７】
前記サーバシステムがウェブサーバ及びアプリケーションサーバを有することを特徴とする請求項４６記載の装置。
【発明の詳細な説明】
【０００１】
（発明の属する技術分野）
本発明は電子商取り引きサイトに関する。
【０００２】
（技術水準）
近年、インターネットが爆発的に普及してきた。特に、インターネットを用いた電子商取り引きサイトは消費者にとって、ベンダーから製品を買うためのよく知られた方法になってきている。一般的に消費者は、ベンダーのウェブサイトにインターネットを介して接続するために、自らのコンピュータでウェブブラウザを用いる。
【０００３】
電子商取り引きサイトは通常、サーバを用いて実現されている。サーバはウェブページを生成するウェブサーバと、電子商取り引きサイトの動作のためのアプリケーションを稼働するアプリケーションサーバを含む。ウェブサーバは共通ゲートウェイインタフェース（ＣＧＩ）といったプロトコルを用いてアプリケーションサーバと通信することができる。
【０００４】
一部のサイトにおいては、複数の製品をまとめてバンドルし、そのバンドルを消費者が購入可能とするようにすることは意味がある。例えば、コンピュータベンダーのサイトは一般的にバンドルされたコンピュータシステムを売り出している。残念ながら、ベンダーが選択したバンドルは全ての消費者グループにとって必ずしも最良の解とは限らない。異なるグループは異なるニーズを有し、そのニーズは必ずしもベンダーが予期できるものとは限らない。
【０００５】
消費者がウェブサイトで購入するための製品のバンドルを提供する、改善されたシステムが望まれている。
【０００６】
（発明の概要）
本発明は、外部管理者が、仮想バンドルを生成するために、電子商取り引きを通じてベンダーによって提供される複数の製品をまとめてバンドルすることが可能な電子商取り引きシステムに関する。製品の仮想バンドルはベンダーによって電子商取り引きサイトで売りに出すことができる。製品の仮想バンドルは外部管理者によって選択されているため、製品の仮想バンドルは顧客のニーズにより適合したものになるであろう。
【０００７】
本発明の一実施形態は、ベンダーの電子商取り引きサイトで販売される製品の仮想バンドルの生成を可能とするサーバシステムを含むシステムである。バンドルされる製品は、複数の選択可能な製品から選択される。仮想バンドルはベンダー以外のグループのメンバによる購入に適している。システムはさらに外部グループ管理者コンピュータを含む。外部コンピュータはサーバシステムに動作可能に接続可能であり、バンドル選択データを人からサーバシステムへ提供するように適合されている。サーバシステムは仮想バンドルを生成するためにバンドル選択データを用いるように適合されている。
【０００８】
本発明の別の実施形態は手順を実行するプログラムを含むコンピュータ読み取り可能な媒体を有する。この手順は、仮想バンドルデータを外部コンピュータから送信された仮想バンドルデータの結果として、仮想バンドルデータをデータベースに格納するステップを含む。手順はまた、ベンダーの電子商取り引きサイトで販売される製品の仮想バンドルの提供ステップを含む。バンドルされる製品は複数の選択可能な製品から選択される。仮想バンドルはベンダー以外のグループのメンバーによって購入するために適している。提供を行うステップはデータベースに格納された仮想バンドルデータを用いる。
【０００９】
本発明のさらに別の実施形態は、外部コンピュータから送信された仮想バンドルデータを受信し、仮想バンドルをデータベースに格納する手段を有する。装置はまた、ベンダーの電子商取り引きサイトで販売される製品の仮想バンドルを提供する手段を含む。バンドルされる製品は複数の選択可能な製品から選択される。仮想バンドルはベンダー以外のグループのメンバによる購入に適している。提供手段は製品の仮想バンドルを生成するため、データベースに格納された仮想バンドルデータを用いる。
【００１０】
（好ましい実施形態の詳細な説明）
図１Ａは本発明の一実施形態を示す図である。サーバシステム２０はウェブサーバ２２、アプリケーションサーバ２４及びデータベース２６を含む。ウェブサーバ２２は好ましくはファイアウォールを用いてアプリケーションサーバと隔離される。顧客コンピュータ３０のような顧客コンピュータは、サーバシステム２０によって生成された電子商取り引きサイトにアクセスするため、ブラウザを用いる。ブラウザはＵＲＬ（Ｕｎｉｆｏｒｍ Ｒｅｓｏｕｒｃｅ Ｌｏｃａｔｏｒ）をウェブサーバへ送信し、ウェブサーバは顧客コンピュータ３０に提供するウェブサイトを作成するためにアプリケーションサーバ２４を用いる。共通ゲートウェイインタフェース等のインタフェースプロトコルが、ウェブサーバ２２とアプリケーションサーバ２４とのやりとりに用いられる。アプリケーションサーバ２４はウェブページを作成するために電子商取り引きアプリケーションを用いる。電子商取り引きサイトはデータベース２６のようなデータベースからのデータを用いて作成される。
【００１１】
本発明において、仮想バンドル選択コンピュータ２８のような外部コンピュータが、サーバシステム２０へのアクセスに用いられる。サーバシステム２０が外部コンピュータ２８のユーザから認証情報を取得すると、仮想バンドル作成アプリケーションが外部コンピュータ２８のユーザによる仮想バンドル作成を許可する。
【００１２】
仮想バンドル作成アプリケーション３２は管理者に、バンドルに利用可能な製品のリストを提供する。外部コンピュータ２８を用いる管理者は、仮想バンドルとしてまとめられるべき所定の製品をリストから選択する。仮想バンドルデータ３６はデータベース３６に格納され、電子商取り引き形式アプリケーション３８が顧客に仮想バンドルを提供するために利用可能である。
【００１３】
好ましい実施形態において、仮想バンドルの作成者は電子商取引サイトベンダとは異なるグループに関連する。顧客３０は好ましくはこのグループのメンバであり、そのメンバが電子商取引サイトへアクセスした際に製品バンドルが提供される。仮想バンドルを用いるカスタム電子商取引サイトを実現する一つの方法が図１Ｂに関して示される。
【００１４】
図１Ｂはカスタム電子商取引ストアが作成されるサーバシステムを示す。カスタムストアアプリケーションのさらなる詳細は、本出願と同日に出願され、参照として本明細書に組み込まれる特許出願「カスタムストア」（出願番号０９／５４５，０３４、代理人整理番号Ｎ０．００１５８０−５６０／Ｐ２５１３）において開示される。
【００１５】
本実施形態において、仮想バンドル作成アプリケーションは、カスタムストア管理コンピュータ２８’がアクセス可能な管理アプリケーション４０の一部である。仮想バンドルデータはデータベース２６’のカスタムストアデータ４４内の管理データ４２の一部である。カスタムストアの実施形態において、カスタムストア管理者コンピュータ２８’はカスタムストアウェブサイトを作成するためのコンフィグレーションデータの入力に用いられる。このカスタムストアデータはデータベース２６’に格納される。顧客がカスタムストアウェブサイトへアクセスした際、カスタムストアウェブサイトはデータベース２６’内のコンフィグレーションデータを用いて作成される。このコンフィグレーションデータの一部は、グループメンバが製品の仮想バンドルを選択するためにカスタムストアへアクセスすることを可能にする仮想バンドルデータである。
【００１６】
一実施形態において、カスタムストアのためのインスタンシエーションデータをセットアップするため、アプリケーションサーバ２４’内のインスタンシエーションアプリケーション４６が用いられる。このインスタンシエーションデータはストアＩＤ、割引区分及びロゴを含むことができる。このデータはデータベース２６’のカスタムストアデータ４４内のインスタンシエーションデータブロック４８に格納される。カスタムストアアプリケーション５０はデータベース２６’に格納されるデータを用いてカスタムウェブサイトを作成するために用いられる。
【００１７】
調停アプリケーション５２は、仮想バンドル内の製品が陳腐化しているか、又はアップグレード可能であるかどうかを判定するため、仮想バンドルをチェックするのに用いられる。調停アプリケーション５２がそのような製品を仮想バンドル内で見つけると、カスタムストア管理者が仮想バンドルを変更可能なように、メールサーバ５４を用いて電子メールが送信される。好ましい実施形態において、データベース２６’は、カスタムストアの各々と、メインウェブサイトストアで用いられる基本価格リスト及び基本表示情報を含むテンプレートデータ５６を含んでいる。
【００１８】
図２は、本発明の一実施形態の動作を示す。ステップ６０において、内部オペレータが、インスタンシエーションアプリケーションを用いて新しいカスタムストアをセットアップする。これは結果としてサーバシステム５８のデータベースを変更する。ステップ６２で、管理ウェブページＵＲＬが外部管理者（例えば図１Ｂの２０’）へ供給される。このＵＲＬは管理者に提供される、仮想バンドルを選択するために用いられるウェブページへアクセスする。ＵＲＬは外部コンピュータ内のブラウザのお気に入りページへロードすることもできる。ステップ６４で、外部管理者はこのＵＲＬを用いて管理者ページへアクセスする。ステップ６６で、外部管理者は製品の仮想バンドルを選択する。加えて、所定の他の製品を購入できなくすることも可能である。管理者が処理を完了すると、変更が発行され、サーバシステム５８のデータベース内の仮想バンドルが変更される。
【００１９】
顧客は製品の仮想バンドルを注文するため、カスタムページへアクセスする。ステップ６８で、ユーザは外部団体又はグループが運営するセキュアなページへアクセスする。ステップ７０で、ユーザはカスタムウェブストアを選択し、アクセスする。図８に関して以下で検討するように、外部団体が運営するセキュアなページを有することにより、サーバシステム５８はグループの各メンバについてのパスワードを保持する必要がない。セキュアなページを用いることで、ベンダではなく、外部団体がメンバＩＤ及びパスワードをメンテナンスしなければならない。サーバシステム５８はハイパーテキスト転送プロトコル（ＨＴＴＰ）ヘッダの”リファラ（ｒｅｆｅｒｅｒ）”フィールドをチェックする。リファラヘッダフィールドがセキュアなページのＵＲＬを含んでいれば、カスタムウェブストアが作成され、ユーザへ表示される。代わりに、ホスト名等、ＵＲＬの別の部分をチェックすることも可能である。ディスプレイは管理者が選択した仮想バンドルを表示する。ステップ７２で、ユーザは注文するために製品の仮想バンドルを選択する。ステップ７４で、調停アプリケーションが仮想バンドル内の陳腐化した品揃えについてカスタムストアをチェックする。陳腐化した品揃えがあった場合には、管理者へ電子メールが送られる。ステップ７６で、外部管理者がカスタムストアから陳腐化した製品を取り除くために仮想バンドルを変更する。
【００２０】
図３は仮想バンドルの選択を可能とする管理ウェブページを示す。図３に示すように、システムは仮想バンドルのシステム説明のための説明領域（ｄｅｓｃｒｉｐｔｉｏｎ ｂｏｘ）１１０を有する。ここで与えられるシステム説明は、仮想バンドルの説明又はそのバンドルがどのサブグループをターゲットにしているかの表示を行うことができる。表示順序入力領域１１２は仮想バンドルが”推奨システム”ページで表示される順序を与える。製品情報ＵＲＬ領域１１４は仮想バンドルの追加説明を与える別のページを示すために用いることができる。例えば、外部管理者によって保持されるページが仮想バンドル製品を説明することができる。
【００２１】
”構築可能（ｃｏｎｆｉｇｕｒａｂｌｅ）”領域１１６は、仮想バンドルが構築可能であるか否かを決定する。仮想バンドルが構築可能であれば、顧客は購入前にシステムを変更することを許される。バンドルが構築不能であれば、ユーザは購入前にシステムを変更することができない。
【００２２】
調停アプリケーションがバンドル内に陳腐化製品が用いられていることを判定する際、”要注意（Ｎｅｅｄ Ａｔｔｅｎｔｉｏｎ）”表示（図示せず）が表示される。
【００２３】
編集ボタン１２０は仮想バンドルの編集を提供し、削除ボタン１２２は仮想バンドルの削除を提供する。新たなバンドルを構築するには、管理者は”新システム追加（Ａｄｄ Ｎｅｗ Ｓｙｓｔｅｍ）”ボタン１２４を選択する。このボタンは管理者を仮想バンドルへバンドル可能な他の製品のリストを与えるページへ転送する。一実施形態において、仮想バンドルの選択それ自体は通常の電子商取引サイトでのコンピュータの選択と非常に似ている。
【００２４】
”発行（Ｐｕｂｌｉｓｈ）”ボタン１２８は、グループメンバがカスタムストアへアクセスした際、新しい仮想バンドルが利用可能となるように、データベースを更新する。
【００２５】
図４は、カスタムストアページの例を示す。このカスタムストアページはメインストアページに基づいている。好ましい実施形態において、カスタムストアの”ルックアンドフィール”はそのメインストアと非常に似通っている。カスタムストアはデータベースからのテンプレートデータを用いるため、メインストアの更新は自動的にカスタムストアに反映される。
【００２６】
ユーザは、顧客を図５に示すページのような”推奨システム（Ｒｅｃｏｍｍｅｎｄｅｄ Ｓｙｓｔｅｍ）”ページへ転送する”推奨システム”ボタンをクリックすることができる。このページは外部管理者が選択した仮想バンドルを表示する。ここで、管理者が与えたタイトルが用いられることに留意されたい。一実施形態において、バンドルの主な製品について画像を表示することができる。
【００２７】
ユーザは”推奨システム”ページを購入する仮想バンドルの選択に用いる。好ましい実施形態に関して説明される仮想バンドルはコンピュータシステムであるが、仮想バンドルは外部管理者が選択した任意の要素のグループであってよいことに留意されたい。
【００２８】
仮想バンドルの選択に外部管理者を用いることで、特定のグループに固有の仮想バンドルを選択することが可能になる。図５において、１つの仮想バンドルは音楽学校の学生が使用するために構成されたコンピュータであることに留意されたい。別のバンドルは法律学校の学生用に構成されている。外部管理者はグループメンバのニーズをよりよく理解しているであろう。
【００２９】
図６Ａは仮想バンドルを用いるカスタムストアウェブページの動作及び構成を示す。図６Ａにおいて、Ｘ大学カスタムストア管理者８０が仮想バンドルを選択する。この例において、簡易化された仮想バンドルはｉＳｕｂスピーカシステム付きのｉＭａｃ ４００ＭＨｚプロセッサである。このデータはデータベース内のＸ大学カスタムストア管理データ８２に格納されている。グループのメンバがカスタムストアへのＵＲＬの一部としてカスタムストアＩＤを送信すると、カスタムストアアプリケーション８４がインスタンシエーションデータ８１をチェックし、ＩＤ”５４”がＸ大学カスタムストアを指しているかを判定する。Ｘ大学カスタムストアデータ８２は、ｉＳｕｂスピーカシステム付きのｉＭａｃ ４００ＭＨｚプロセッサの仮想バンドルを含んでいる。そして、カスタムストアアプリケーション８４は、製品グループリスト８６からＸ大学の割引区分である区分ＣについてのｉＭａｃ及びアクセサリ割引情報を割り出す。割引区分Ｃに対し、ｉＭａｃは２％の割引、アクセサリは３％の割引である。カスタムストアアプリケーション８４がカスタムストアで提供される割引価格を計算できるよう、これらの割引は基本価格データ９０に適用される。このようにして、基本価格データ９０が変更された場合には、カスタムストアへアクセスするユーザに対する割引価格もまた変更される。仮想バンドルの価格は固定ではなく、基本価格データ９０の変化に伴い変化する。調停アプリケーション９２はカスタムストア管理データ８２内の仮想バンドルデータをチェックする。製品が陳腐化していれば、カスタムストアを変更するよう電子メール通知が生成され、管理者へ送信される。
【００３０】
図６Ｂは本発明の代替実施形態を示す。この代替実施形態において、調停アプリケーション９３は製品調停モジュール９３ａと、価格調停モジュール９３ｂを含む。システムは推奨システムについて割引価格を計算し、カスタムストアデータ８２’に格納する。周期的に、価格調停モジュール９３ｂは推奨システムの価格を再計算し、再計算された値をカスタムストアデータ８２’に格納する。割引価格が他のカスタムストアデータとともに格納されるので、カスタムストアウェブサイトを直ちにユーザへ表示することができる。
【００３１】
図７は、本発明の一実施形態についてのデータ構成を示す図である。各カスタムストアは複数の関連する推奨システム（製品の仮想バンドル）を有する。図示されるフィールドはカスタムストア顧客番号、データベースＩＤ、削除製品（ｄｅｌｅｔｅｄ ｐｒｏｄｕｃｔ）フィールド、説明（ｄｅｓｃｒｉｐｔｉｏｎ）、表示順序及び主要製品（ｍａｉｎ ｐｒｏｄｕｃｔ）ＩＤを含む。主要製品ＩＤは推奨システムページで表示される画像を示している。”Ｎｅｅｄｓ Ａｔｔｅｎｔｉｏｎ”フラグはバンドル中の陳腐化製品を表すために使用することができる。バンドル中の各推奨システム製品は、それぞれ特定のフィールドを有する、製品及び追加オプションを参照する。
【００３２】
図８は、一実施形態におけるカスタムストアとともに用いられるセキュリティシステムの動作を示す図である。本システムにおいて、顧客はホームページ１００へアクセスし、セキュアな学生ページ１０２へ学生がアクセスすることを可能にするＩＤ及びパスワードを入力する。セキュアな学生ページから、顧客がカスタムストアページのＵＲＬ上でクリックすると、カスタムストアページ１０４が表示される。カスタムストアアプリケーションはリファラフィールドのチェックのみを行えば良く、グループメンバＩＤ及びグループメンバパスワードを把握しておく必要がない。
【００３３】
以上、本発明の原理、好ましい実施形態及び動作形態について説明してきた。しかし、本発明は検討した特定の実施形態に限定するものとして解釈されるべきものではない。むしろ、上で説明した実施形態は制限的ではなく例示的にみなされるべきであり、以下の請求項によって定義されるように、当業者によって、本発明の範囲から離れることなく様々な態様をなし得ることを理解すべきである。
【図面の簡単な説明】
【図１Ａ】、【図１Ｂ】本発明の一実施形態に用いることのできるサーバシステムの概要を説明する図である。
【図２】本発明の一実施形態における仮想バンドルの構築を示す図である。
【図３】図３−１及び図３−２の関係を示す図である。
【図３−１】、【図３−２】製品の仮想バンドルの作成を可能とする管理ウェブサイトの図である。
【図４】、【図５】グループのメンバに、製品の仮想バンドルを提供するカスタムウェブストアを示す図である。
【図６Ａ】、【図６Ｂ】カスタムストアアプリケーションでの販売に提供される仮想バンドルの価格の動的構築を示す図である。
【図７】本発明の一実施形態のためのデータ構成を示す図である。
【図８】本発明とともに用いられるカスタムストアシステムの一実施形態のためのセキュリティシステムを示す図である。
【図１Ａ】
2004500670.tif 000002
【図１Ｂ】
2004500670.tif 000003
【図２】
2004500670.tif 000004
【図３】
2004500670.tif 000005
【図３−１】
2004500670.tif 000006
【図３−２】
2004500670.tif 000007
【図４】
2004500670.tif 000008
【図５】
2004500670.tif 000009
【図６Ａ】
2004500670.tif 000010
【図６Ｂ】
2004500670.tif 000011
【図７】
2004500670.tif 000012
【図８】
2004500670.tif 000013
【国際公開パンフレット】
2004500670.tif 000014
2004500670.tif 000015
2004500670.tif 000016
2004500670.tif 000017
2004500670.tif 000018
2004500670.tif 000019
2004500670.tif 000020
2004500670.tif 000021
2004500670.tif 000022
2004500670.tif 000023
2004500670.tif 000024
2004500670.tif 000025
2004500670.tif 000026
2004500670.tif 000027
2004500670.tif 000028
2004500670.tif 000029
2004500670.tif 000030
2004500670.tif 000031
2004500670.tif 000032
2004500670.tif 000033
2004500670.tif 000034
2004500670.tif 000035
2004500670.tif 000036
2004500670.tif 000037
2004500670.tif 000038
2004500670.tif 000039
2004500670.tif 000040
2004500670.tif 000041
2004500670.tif 000042
2004500670.tif 000043
2004500670.tif 000044